(57)【要約】【課題】耐光性及び発色性が高いレベルで両立された画像を記録可能なインクを提供する。【解決手段】第１の色材及び第２の色材を含有するインクである。第１の色材が、下記一般式（Ｉ）で表される化合物であり、第２の色材が、Ｃ．Ｉ．ダイレクトイエロー１３２であり、インク全質量を基準とした、第１の色材の含有量（質量％）が、第２の色材の含有量（質量％）に対する質量比率で、０．７倍以上３．０倍以下である。2014034645.tif 000047【選択図】なし【特許請求の範囲】
【請求項１】
第１の色材及び第２の色材を含有するインクであって、
前記第１の色材が、下記一般式（Ｉ）で表される化合物であり、
前記第２の色材が、Ｃ．Ｉ．ダイレクトイエロー１３２であり、
インク全質量を基準とした、前記第１の色材の含有量（質量％）が、前記第２の色材の含有量（質量％）に対する質量比率で、０．７倍以上３．０倍以下であることを特徴とするインク。
2014034645.tif 000046
（前記一般式（Ｉ）中、Ｒ1は１価の基を表し、Ｒ2は−ＯＲ3又は−ＮＨＲ4を表し（Ｒ3及びＲ4は水素原子又は１価の基を表す）、Ｒ5はイオン性基を表し、Ｒ6はアリーレン基又は２価のヘテロ環基を表し、Ｒ7は２価の連結基を表し、ｍは０又は１を表す）
【請求項２】
前記インク中の、カリウムイオン濃度ＣK（μｍｏｌ／ｇ）、ナトリウムイオン濃度ＣNa（μｍｏｌ／ｇ）、及びアルカリ金属イオン濃度ＣT（μｍｏｌ／ｇ）が、０．７≦（ＣK＋ＣNa）／ＣTの関係を満たす請求項１に記載のインク。
【請求項３】
前記インク中の、カリウムイオン濃度ＣK（μｍｏｌ／ｇ）、及びナトリウムイオン濃度ＣNa（μｍｏｌ／ｇ）が、０．７≦ＣK／ＣNa≦２．０の関係を満たす請求項１又は２に記載のインク。
【請求項４】
前記インク中のカリウムイオン濃度ＣK（μｍｏｌ／ｇ）が、９０μｍｏｌ／ｇ以下である請求項１乃至３のいずれか１項に記載のインク。
【請求項５】
インクと、前記インクを収容するインク収容部とを備えたインクカートリッジであって、
前記インクが、請求項１乃至４のいずれか１項に記載のインクであることを特徴とするインクカートリッジ。
【請求項６】
インクをインクジェット方式の記録ヘッドから吐出して記録媒体に画像を記録するインクジェット記録方法であって、
前記インクが、請求項１乃至４のいずれか１項に記載のインクであることを特徴とするインクジェット記録方法。
【発明の詳細な説明】
【技術分野】
【０００１】
本発明は、インク、インクカートリッジ、及びインクジェット記録方法に関する。
【背景技術】
【０００２】
インクジェット記録方法は、インク小滴を普通紙などの記録媒体に付与して画像を形成する記録方法であり、その低価格化、記録速度の向上により、急速に普及が進んでいる。一方、インクジェット記録方法の問題点として、得られた記録物の画像保存性に劣ることが挙げられる。一般に、インクジェット記録方法で得られた記録物は、銀塩写真と比較してその画像保存性が低い。特に、記録物が、光、湿度、熱、空気中に存在するオゾンガスなどの環境ガスに長時間さらされた際に、記録物の色材が劣化し、画像の色調変化や褪色が発生しやすいといった問題がある。
【０００３】
シアン、マゼンタ、及びイエローの各インクのなかでも、イエローインクは、画像の耐光性と発色性とを両立させるのが困難である。このため、耐光性が向上するとともに、発色性に優れた画像を記録しうる、ビスアゾ骨格を有するイエロー色材を含有するインクが提案されている（特許文献１参照）。また、２種類のビスアゾ化合物を含有するイエローインクが提案されている（特許文献２及び３参照）。
【先行技術文献】
【特許文献】
【０００４】
【特許文献１】特開２００４−０８３９０３号公報
【特許文献２】特開２００８−２９７５４１号公報
【特許文献３】特開２０１２−００１６０３号公報
【発明の概要】
【発明が解決しようとする課題】
【０００５】
しかし、上記いずれの特許文献で提案された技術を用いたイエローインクであっても、近年要求されるレベルの耐光性と発色性が両立された画像を記録することはできなかった。
【０００６】
したがって、本発明の目的は、耐光性及び発色性が高いレベルで両立された画像を記録可能なインクを提供することにある。また、本発明の別の目的は、前記インクを用いたインクカートリッジ、及びインクジェット記録方法を提供することにある。
【課題を解決するための手段】
【０００７】
上記の目的は以下の本発明によって達成される。すなわち、本発明によれば、第１の色材及び第２の色材を含有するインクであって、前記第１の色材が、下記一般式（Ｉ）で表される化合物であり、前記第２の色材が、Ｃ．Ｉ．ダイレクトイエロー１３２であり、インク全質量を基準とした、前記第１の色材の含有量（質量％）が、前記第２の色材の含有量（質量％）に対する質量比率で、０．７倍以上３．０倍以下であることを特徴とするインクが提供される。
【０００８】
2014034645.tif 000002
（前記一般式（Ｉ）中、Ｒ1は１価の基を表し、Ｒ2は−ＯＲ3又は−ＮＨＲ4を表し（Ｒ3及びＲ4は水素原子又は１価の基を表す）、Ｒ5はイオン性基を表し、Ｒ6はアリーレン基又は２価のヘテロ環基を表し、Ｒ7は２価の連結基を表し、ｍは０又は１を表す）
【発明の効果】
【０００９】
本発明によれば、耐光性及び発色性が高いレベルで両立された画像を記録可能なインクを提供することができる。また、本発明によれば、このインクを用いたインクカートリッジ、及びインクジェット記録方法を提供することができる。
【図面の簡単な説明】
【００１０】
【図１】本発明のインクカートリッジの一実施形態を模式的に示す断面図である。
【図２】本発明のインクジェット記録方法に用いられるインクジェット記録装置の一例を模式的に示す図であり、（ａ）はインクジェット記録装置の主要部の斜視図、（ｂ）はヘッドカートリッジの斜視図である。
【発明を実施するための形態】
【００１１】
以下に、好ましい実施の形態を挙げて、さらに本発明を詳細に説明する。なお、本発明においては、化合物が塩である場合は、インク中では塩はイオンに解離して存在しているが、便宜上、「塩を含有する」と表現する。
【００１２】
本発明者らは、一般式（Ｉ）で表される化合物の発色性に着目し、種々検討を行った。一般式（Ｉ）で表される化合物を用いたインクは、普通紙などのインク受容層を有さない記録媒体に記録した場合には発色性が低いが、光沢紙などのインク受容層を有する記録媒体に記録した場合には優れた発色性が発現される。このため、記録媒体の種類によって発色性が異なるメカニズムについて検討した。一般式（Ｉ）で表される化合物（色材）を水に溶解させて調製したｐＨ８程度の水溶液に、プロトンの供給源として塩酸を添加した場合、色材の溶解性が急激に低下し、色材が析出した。一方、この水溶液に金属カチオンの供給源としてカリウム塩を添加しても、色材の溶解性は顕著には低下せず、色材は析出しなかった。このことから、本発明者らは、一般式（Ｉ）で表される化合物を用いたインクの発色性は、一般式（Ｉ）で表される化合物の、プロトンの存在下における溶解性の挙動と、金属カチオンの存在下における溶解性の挙動との相違に依存すると予測した。すなわち、一般式（Ｉ）で表される化合物を含有するインクを光沢紙に付与した直後に、そのインク受容層に含まれるカチオン性ポリマー、アルミナ、アルミナ水和物などのカチオン性成分によって、一般式（Ｉ）で表される化合物の溶解性が急激に低下する。このため、一般式（Ｉ）で表される化合物が光沢紙の表面近傍に凝集して定着し、発色性が高まると推測した。一方、一般式（Ｉ）で表される化合物を含有するインクを普通紙に付与した場合、一般式（Ｉ）で表される化合物は、普通紙に填料として含まれるカルシウムなどの金属カチオンと接触しても、その溶解度が顕著に変化しない。このため、一般式（Ｉ）で表される化合物は普通紙の表面近傍には定着できずに内部へと浸透してしまい、発色性が低下すると推測した。
【００１３】
本発明者らは、一般式（Ｉ）で表される化合物と、溶解特性の異なる色材とを共存させることで、光沢紙における画像の発色性を維持したまま、普通紙における画像の発色性を向上させることが可能となるのではないかと考えた。そこで、様々な色材の溶解特性を調査したところ、Ｃ．Ｉ．ダイレクトイエロー１３２が、一般式（Ｉ）で表される化合物とは逆の溶解特性を示すことが判明した。すなわち、Ｃ．Ｉ．ダイレクトイエロー１３２は、プロトンを添加しても溶解性は顕著に低下しないが、金属カチオンを添加すると溶解性が低下して析出する。さらに、一般式（Ｉ）で表される化合物と、Ｃ．Ｉ．ダイレクトイエロー１３２とを所定の比率で含有させることで、光沢紙における画像の発色性と、普通紙における画像の発色性とを両立させることが可能なインクを得ることができた。
【００１４】
次に、一般式（Ｉ）で表される化合物と、Ｃ．Ｉ．ダイレクトイエロー１３２とを含有するインクを用いて記録した画像の耐光性について評価した。一般式（Ｉ）で表される化合物を含有するインクを用いて記録した画像の耐光性は優れているが、Ｃ．Ｉ．ダイレクトイエロー１３２を含有するインクを用いて記録した画像の耐光性は低い。このため、本発明者らは当初、一般式（Ｉ）で表される化合物と、Ｃ．Ｉ．ダイレクトイエロー１３２とを含有するインクを用いると、画像の耐光性が大幅に低下するであろうと推測していた。しかし、一般式（Ｉ）で表される化合物と、Ｃ．Ｉ．ダイレクトイエロー１３２とを含有するインクを用いて記録した画像の耐光性は、僅かに低下した程度であった。これは、光沢紙に画像を記録した場合におけるインクの浸透挙動によって説明することができる。
【００１５】
上述したように、一般式（Ｉ）で表される化合物は光沢紙の表面近傍に定着し、Ｃ．Ｉ．ダイレクトイエロー１３２は光沢紙の内部に定着する。したがって、一般式（Ｉ）で表される化合物と、Ｃ．Ｉ．ダイレクトイエロー１３２とを共存させたインクを光沢紙に付与すると、Ｃ．Ｉ．ダイレクトイエロー１３２は、一般式（Ｉ）で表される化合物よりも深い位置に定着する。このため、光が記録物に照射された場合、一般式（Ｉ）で表される化合物が光を吸収、反射した後、弱まった残りの光がＣ．Ｉ．ダイレクトイエロー１３２に到達する。すなわち、照射された光の一部を、より表面側に定着した一般式（Ｉ）で表される化合物が遮蔽するため、Ｃ．Ｉ．ダイレクトイエロー１３２の褪色が抑制されると考えられる。
【００１６】
＜インク＞
本発明のインクは、第１の色材及び第２の色材を特定の質量比率で含有する。そして、第１の色材が一般式（Ｉ）で表される化合物であり、第２の色材がＣ．Ｉ．ダイレクトイエロー１３２である。以下、本発明のインクを構成する各成分について詳細に説明する。
【００１７】
（第１の色材：一般式（Ｉ）で表される化合物）
本発明のインクは、下記一般式（Ｉ）で表される化合物を第１の色材として含有する。
【００１８】
2014034645.tif 000003
【００１９】
一般式（Ｉ）中のＲ1は、１価の基を表す。１価の基としては、ハロゲン原子、アルキル基、シクロアルキル基、アラルキル基、アルケニル基、アルキニル基、アリール基、ヘテロ環基、シアノ基、ヒドロキシ基、ニトロ基、カルボキシ基（塩型でもよい）、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基、アルキルアミノ基、アニリノ基、アシルアミノ基、アミノカルボニルアミノ基、アルコキシカルボニルアミノ基、アリールオキシカルボニルアミノ基、スルファモイルアミノ基、アルキルスルホニルアミノ基、アリールスルホニルアミノ基、メルカプト基、アルキルチオ基、アリールチオ基、ヘテロ環チオ基、スルファモイル基、スルホン酸基（塩型でもよい）、アルキルスルフィニル基、アリールスルフィニル基、アルキルスルホニル基、アリールスルホニル基、アシル基、アリールオキシカルボニル基、アルコキシカルボニル基、カルバモイル基、イミド基、ホスフィノ基、ホスフィニル基、ホスフィニルオキシ基、ホスフィニルアミノ基、シリル基を挙げることができる。
【００２０】
ハロゲン原子としては、フッ素原子、塩素原子、臭素原子、ヨウ素原子などを挙げることができる。
【００２１】
アルキル基には、置換又は無置換のアルキル基が含まれる。置換又は無置換のアルキル基としては、炭素数１乃至３０のアルキル基が好ましい。置換基としては、前述の１価の基の具体例として挙げたものと同様のものを挙げることができる。それらの中でも、ヒドロキシ基、アルコキシ基、シアノ基、ハロゲン原子、スルホン酸基（塩型でもよい）、カルボキシ基（塩型でもよい）が好ましい。アルキル基としては、メチル、エチル、ブチル、ｔ−ブチル、ｎ−オクチル、エイコシル、２−クロロエチル、ヒドロキシエチル、シアノエチル、４−スルホブチル、４−カルボキシブチルなどを挙げることができる。
【００２２】
シクロアルキル基には、置換又は無置換のシクロアルキル基が含まれる。置換又は無置換のシクロアルキル基としては、炭素数５乃至３０のシクロアルキル基が好ましい。シクロアルキル基としては、シクロヘキシル、シクロペンチル、４−ｎ−ドデシルシクロヘキシルなどを挙げることができる。
【００２３】
アラルキル基には、置換又は無置換のアラルキル基が含まれる。置換又は無置換のアラルキル基としては、炭素数７乃至３０のアラルキル基が好ましい。アラルキル基としては、ベンジル、２−フェネチルなどを挙げることができる。
【００２４】
アルケニル基には、直鎖、分岐、又は環状の、置換又は無置換のアルケニル基が含まれる。置換又は無置換のアルケニル基としては、炭素数２乃至３０のアルケニル基が好ましい。アルケニル基としては、ビニル、アリル、プレニル、ゲラニル、オレイル、２−シクロペンテン−１−イル、２−シクロヘキセン−１−イルなどを挙げることができる。
【００２５】
アルキニル基には、置換又は無置換のアルキニル基が含まれる。置換又は無置換のアルキニル基としては、炭素数２乃至３０のアルキニル基が好ましい。アルキニル基としては、エチニル、プロパルギルなどを挙げることができる。
【００２６】
アリール基には、置換又は無置換のアリール基が含まれる。置換又は無置換のアリール基としては、炭素数６乃至３０のアリール基が好ましい。アリール基としては、フェニル、ｐ−トリル、ナフチル、ｍ−クロロフェニル、ｏ−ヘキサデカノイルアミノフェニルなどを挙げることができる。
【００２７】
ヘテロ環基には、置換又は無置換の、芳香族又は非芳香族のヘテロ環化合物から１個の水素原子を取り除いた１価の基が含まれる。置換又は無置換のヘテロ環基としては、炭素数３乃至３０の、５員又は６員の芳香族ヘテロ環基が好ましい。このような芳香族ヘテロ環基としては、２−フリル、２−チエニル、２−ピリミジニル、２−ベンゾチアゾリルなどを挙げることができる。
【００２８】
アルコキシ基には、置換又は無置換のアルコキシ基が含まれる。置換又は無置換のアルコキシ基としては、炭素数１乃至３０のアルコキシ基が好ましい。アルコキシ基としては、メトキシ、エトキシ、イソプロポキシ、ｎ−オクチルオキシ、メトキシエトキシ、ヒドロキシエトキシ、３−カルボキシプロポキシなどを挙げることができる。
【００２９】
アリールオキシ基には、置換又は無置換のアリールオキシ基が含まれる。置換又は無置換のアリールオキシ基としては、炭素数６乃至３０のアリールオキシ基が好ましい。アリールオキシ基としては、フェノキシ、２−メチルフェノキシ、４−ｔ−ブチルフェノキシ、３−ニトロフェノキシ、２−テトラデカノイルアミノフェノキシなどを挙げることができる。
【００３０】
シリルオキシ基としては、炭素数３乃至２０のシリルオキシ基が好ましい。シリルオキシ基としては、トリメチルシリルオキシ、ｔ−ブチルジメチルシリルオキシなどを挙げることができる。
【００３１】
ヘテロ環オキシ基には、置換又は無置換のヘテロ環オキシ基が含まれる。置換又は無置換のヘテロ環オキシ基としては、炭素数２乃至３０のヘテロ環オキシ基が好ましい。ヘテロ環オキシ基としては、１−フェニルテトラゾール−５−オキシ、２−テトラヒドロピラニルオキシなどを挙げることができる。
【００３２】
アシルオキシ基としては、ホルミルオキシ基、炭素数２乃至３０の置換又は無置換のアルキルカルボニルオキシ基、炭素数６乃至３０の置換又は無置換のアリールカルボニルオキシ基が好ましい。アシルオキシ基としては、ホルミルオキシ、アセチルオキシ、ピバロイルオキシ、ステアロイルオキシ、ベンゾイルオキシ、ｐ−メトキシフェニルカルボニルオキシなどを挙げることができる。
【００３３】
カルバモイルオキシ基には、置換又は無置換のカルバモイルオキシ基が含まれる。置換又は無置換のカルバモイルオキシ基としては、炭素数１乃至３０のカルバモイルオキシ基が好ましい。カルバモイルオキシ基としては、Ｎ，Ｎ−ジメチルカルバモイルオキシ、Ｎ，Ｎ−ジエチルカルバモイルオキシ、モルホリノカルボニルオキシ、Ｎ，Ｎ−ジ−ｎ−オクチルアミノカルボニルオキシ、Ｎ−ｎ−オクチルカルバモイルオキシなどを挙げることができる。
【００３４】
アルコキシカルボニルオキシ基には、置換又は無置換のアルコキシカルボニルオキシ基が含まれる。置換又は無置換のアルコキシカルボニルオキシ基としては、炭素数２乃至３０のアルコキシカルボニルオキシ基が好ましい。アルコキシカルボニルオキシ基としては、メトキシカルボニルオキシ、エトキシカルボニルオキシ、ｔ−ブトキシカルボニルオキシ、ｎ−オクチルカルボニルオキシなどを挙げることができる。
【００３５】
アリールオキシカルボニルオキシ基には、置換又は無置換のアリールオキシカルボニルオキシ基が含まれる。置換又は無置換のアリールオキシカルボニルオキシ基としては、炭素数７乃至３０のアリールオキシカルボニルオキシ基が好ましい。アリールオキシカルボニルオキシ基としては、フェノキシカルボニルオキシ、ｐ−メトキシフェノキシカルボニルオキシ、ｐ−（ｎ−ヘキサデシルオキシ）フェノキシカルボニルオキシなどを挙げることができる。
【００３６】
アルキルアミノ基には、置換又は無置換のアルキルアミノ基が含まれる。置換又は無置換のアルキルアミノ基としては、炭素数１乃至３０のアルキルアミノ基が好ましい。アルキルアミノ基としては、メチルアミノ、ジメチルアミノなどを挙げることができる。
【００３７】
アニリノ基には、置換又は無置換のアニリノ基が含まれる。置換又は無置換のアニリノ基としては、炭素数６乃至３０のアニリノ基が好ましい。アニリノ基としては、アニリノ、Ｎ−メチルアニリノ、ジフェニルアミノなどを挙げることができる。
【００３８】
アシルアミノ基としては、ホルミルアミノ基、炭素数１乃至３０の置換又は無置換のアルキルカルボニルアミノ基、炭素数６乃至３０の置換又は無置換のアリールカルボニルアミノ基が好ましい。アシルアミノ基としては、ホルミルアミノ、アセチルアミノ、ピバロイルアミノ、ラウロイルアミノ、ベンゾイルアミノ、３，４，５−トリ−ｎ−オクチルオキシフェニルカルボニルアミノなどを挙げることができる。
【００３９】
アミノカルボニルアミノ基には、置換又は無置換のアミノカルボニルアミノ基が含まれる。置換又は無置換のアミノカルボニルアミノ基としては、炭素数１乃至３０のアミノカルボニルアミノ基が好ましい。アミノカルボニルアミノ基としては、カルバモイルアミノ、Ｎ，Ｎ−ジメチルアミノカルボニルアミノ、Ｎ，Ｎ−ジエチルアミノカルボニルアミノ、モルホリノカルボニルアミノなどを挙げることができる。
【００４０】
アルコキシカルボニルアミノ基には、置換又は無置換のアルコキシカルボニルアミノ基が含まれる。置換又は無置換のアルコキシカルボニルアミノ基としては、炭素数２乃至３０のアルコキシカルボニルアミノ基が好ましい。アルコキシカルボニルアミノ基としては、メトキシカルボニルアミノ、エトキシカルボニルアミノ、ｔ−ブトキシカルボニルアミノ、ｎ−オクタデシルオキシカルボニルアミノ、Ｎ−メチル−メトキシカルボニルアミノなどを挙げることができる。
【００４１】
アリールオキシカルボニルアミノ基には、置換又は無置換のアリールオキシカルボニルアミノ基が含まれる。置換又は無置換のアリールオキシカルボニルアミノ基としては、炭素数７乃至３０のアリールオキシカルボニルアミノ基が好ましい。アリールオキシカルボニルアミノ基としては、フェノキシカルボニルアミノ、ｐ−クロロフェノキシカルボニルアミノ、ｍ−（ｎ−オクチルオキシ）フェノキシカルボニルアミノなどを挙げることができる。
【００４２】
スルファモイルアミノ基には、置換又は無置換のスルファモイルアミノ基が含まれる。置換又は無置換のスルファモイルアミノ基としては、炭素数０乃至３０のスルファモイルアミノ基が好ましい。スルファモイルアミノ基としては、スルファモイルアミノ、Ｎ，Ｎ−ジメチルアミノスルホニルアミノ、Ｎ，Ｎ−オクチルアミノスルホニルアミノなどを挙げることができる。
【００４３】
アルキルスルホニルアミノ基には、置換又は無置換のアルキルスルホニルアミノ基が含まれる。置換又は無置換のアルキルスルホニルアミノ基としては、炭素数１乃至３０のアルキルスルホニルアミノ基が好ましい。アルキルスルホニルアミノ基としては、メチルスルホニルアミノ、ブチルスルホニルアミノなどを挙げることができる。
【００４４】
アリールスルホニルアミノ基には、炭素数６乃至３０の置換又は無置換のアリールスルホニルアミノ基が含まれる。置換又は無置換のアリールスルホニルアミノ基としては、炭素数６乃至３０のアリールスルホニルアミノ基が好ましい。アリールスルホニルアミノ基としては、フェニルスルホニルアミノ、２，３，５−トリクロロフェニルスルホニルアミノ、ｐ−メチルフェニルスルホニルアミノなどを挙げることができる。
【００４５】
アルキルチオ基には、置換又は無置換のアルキルチオ基が含まれる。置換又は無置換のアルキルチオ基としては、炭素数１乃至３０のアルキルチオ基が好ましい。アルキルチオ基としては、メチルチオ、エチルチオ、ｎ−ヘキサデシルチオなどを挙げることができる。
【００４６】
アリールチオ基には、置換又は無置換のアリールチオ基が含まれる。置換又は無置換のアリールチオ基としては、炭素数６乃至３０のアリールチオ基が好ましい。アリールチオ基としては、フェニルチオ、ｐ−クロロフェニルチオ、ｍ−メトキシフェニルチオなどを挙げることができる。
【００４７】
ヘテロ環チオ基には、置換又は無置換のヘテロ環チオ基が含まれる。置換又は無置換のヘテロ環チオ基としては、炭素数２乃至３０のヘテロ環チオ基が好ましい。ヘテロ環チオ基としては、２−ベンゾチアゾリルチオ、１−フェニルテトラゾール−５−イルチオなどを挙げることができる。
【００４８】
スルファモイル基には、置換又は無置換のスルファモイル基が含まれる。置換又は無置換のスルファモイル基としては、炭素数０乃至３０のスルファモイル基が好ましい。スルファモイル基としては、Ｎ−エチルスルファモイル、Ｎ−（３−ドデシルオキシプロピル）スルファモイル、Ｎ，Ｎ−ジメチルスルファモイル、Ｎ−アセチルスルファモイル、Ｎ−ベンゾイルスルファモイル、Ｎ−（Ｎ’−フェニルカルバモイル）スルファモイル）などを挙げることができる。
【００４９】
アルキルスルフィニル基には、置換又は無置換のアルキルスルフィニル基が含まれる。置換又は無置換のアルキルスルフィニル基としては、炭素数１乃至３０のアルキルスルフィニル基が好ましい。アルキルスルフィニル基としては、メチルスルフィニル、エチルスルフィニルなどを挙げることができる。
【００５０】
アリールスルフィニル基には、置換又は無置換のアリールスルフィニル基が含まれる。置換又は無置換のアリールスルフィニル基としては、炭素数６乃至３０のアリールスルフィニル基が好ましい。アリールスルフィニル基としては、フェニルスルフィニル、ｐ−メチルフェニルスルフィニルなどを挙げることができる。
【００５１】
アルキルスルホニル基には、置換又は無置換のアルキルスルホニル基が含まれる。置換又は無置換のアルキルスルホニル基としては、炭素数１乃至３０のアルキルスルホニル基が好ましい。アルキルスルホニル基としては、メチルスルホニル、エチルスルホニルなどを挙げることができる。
【００５２】
アリールスルホニル基には、置換又は無置換のアリールスルホニル基が含まれる。置換又は無置換のアリールスルホニル基としては、炭素数６乃至３０のアリールスルホニル基が好ましい。アリールスルホニル基としては、フェニルスルホニル、ｐ−メチルフェニルスルホニルなどを挙げることができる。
【００５３】
アシル基としては、ホルミル基、炭素数２乃至３０の置換又は無置換のアルキルカルボニル基、炭素数７乃至３０の置換又は無置換のアリールカルボニル基、炭素数４乃至３０の置換又は無置換の、炭素原子でカルボニル基と結合しているヘテロ環カルボニル基が好ましい。アシル基としては、アセチル、ピバロイル、２−クロロアセチル、ステアロイル、ベンゾイル、ｐ−（ｎ−オクチルオキシ）フェニルカルボニル、２―ピリジルカルボニル、２―フリルカルボニルなどを挙げることができる。
【００５４】
アリールオキシカルボニル基には、置換又は無置換のアリールオキシカルボニル基が含まれる。置換又は無置換のアリールオキシカルボニル基としては、炭素数７乃至３０のアリールオキシカルボニル基が好ましい。アリールオキシカルボニル基としては、フェノキシカルボニル、ｏ−クロロフェノキシカルボニル、ｍ−ニトロフェノキシカルボニル、ｐ−（ｔ−ブチル）フェノキシカルボニルなどを挙げることができる。
【００５５】
アルコキシカルボニル基には、置換又は無置換のアルコキシカルボニル基が含まれる。置換又は無置換のアルコキシカルボニル基としては、炭素数２乃至３０のアルコキシカルボニル基が好ましい。アルコキシカルボニル基としては、メトキシカルボニル、エトキシカルボニル、ｔ−ブトキシカルボニル、ｎ−オクタデシルオキシカルボニルなどを挙げることができる。
【００５６】
カルバモイル基には、置換又は無置換のカルバモイル基が含まれる。置換又は無置換のカルバモイル基としては、炭素数１乃至３０のカルバモイル基が好ましい。カルバモイル基としては、カルバモイル、Ｎ−メチルカルバモイル、Ｎ，Ｎ−ジメチルカルバモイル、Ｎ，Ｎ−ジ−ｎ−オクチルカルバモイル、Ｎ−（メチルスルホニル）カルバモイルなどを挙げることができる。
【００５７】
イミド基には、置換又は無置換のイミド基が含まれる。置換又は無置換のイミド基としては、炭素数４乃至３０のイミド基が好ましい。イミド基としては、スクシンイミド、フタルイミド、グルタルイミド、ヘキサンイミドなどを挙げることができる。
【００５８】
ホスフィノ基には、置換又は無置換のホスフィノ基が含まれる。置換又は無置換のホスフィノ基としては、炭素数２乃至３０のホスフィノ基が好ましい。ホスフィノ基としては、ジメチルホスフィノ、ジフェニルホスフィノ、メチルフェノキシホスフィノなどを挙げることができる。
【００５９】
ホスフィニル基には、置換又は無置換のホスフィニル基が含まれる。置換又は無置換のホスフィニル基としては、炭素数２乃至３０のホスフィニル基が好ましい。ホスフィニル基としては、ホスフィニル、ジオクチルオキシホスフィニル、ジエトキシホスフィニルなどを挙げることができる。
【００６０】
ホスフィニルオキシ基には、置換又は無置換のホスフィニルオキシ基が含まれる。置換又は無置換のホスフィニルオキシ基としては、炭素数２乃至３０のホスフィニルオキシ基が好ましい。ホスフィニルオキシ基としては、ジフェノキシホスフィニルオキシ、ジオクチルオキシホスフィニルオキシなどを挙げることができる。
【００６１】
ホスフィニルアミノ基には、置換又は無置換のホスフィニルアミノ基が含まれる。置換又は無置換のホスフィニルアミノ基としては、炭素数２乃至３０のホスフィニルアミノ基が好ましい。ホスフィニルアミノ基としては、ジメトキシホスフィニルアミノ、ジメチルアミノホスフィニルアミノなどを挙げることができる。
【００６２】
シリル基には、置換又は無置換のシリル基が含まれる。置換又は無置換のシリル基としては、炭素数３乃至３０のシリル基の好ましい。シリル基としては、トリメチルシリル、ｔ−ブチルジメチルシリル、フェニルジメチルシリルなどを挙げることができる。
【００６３】
上述の１価の基の中で水素原子を有するものは、この水素原子が前述の１価の基で置換されていてもよい。そのような置換基としては、アルキルカルボニルアミノスルホニル基、アリールカルボニルアミノスルホニル基、アルキルスルホニルアミノカルボニル基、アリールスルホニルアミノカルボニル基などが挙げられる。その具体例としては、メチルスルホニルアミノカルボニル、ｐ−メチルフェニルスルホニルアミノカルボニル、アセチルアミノスルホニル、ベンゾイルアミノスルホニル基などを挙げることができる。
【００６４】
一般式（Ｉ）中のＲ2は、−ＯＲ3又は−ＮＨＲ4を表す。また、Ｒ3及びＲ4は水素原子又は１価の基を表す。この１価の基としては、前述のＲ1で表される１価の基について例示したものと、好ましいものを含めて同様のものを挙げることができる。Ｒ2としては、−ＯＨ又は−ＮＨ2が好ましく、−ＮＨ2がさらに好ましい。
【００６５】
一般式（Ｉ）中のＲ5はイオン性基を表す。このイオン性基は塩型であってもよい。イオン性基としては、カルボキシ基、スルホン酸基、リン酸基、ホスホン酸基などを挙げることができる。なかでも、カルボキシ基が好ましい。塩を形成する場合のカウンターイオンとしては、アルカリ金属；アンモニア（ＮＨ3）；有機アンモニウムなどのカチオンを挙げることができる。アルカリ金属としては、リチウム、ナトリウム、カリウムなどを挙げることができる。有機アンモニウムとしては、メチルアミン、エチルアミンなどの炭素数１以上３以下のアルキルアミン類；モノエタノールアミン、ジエタノールアミン、トリエタノールアミン、モノイソプロパノールアミン、ジイソプロパノールアミン、トリイソプロパノールアミンなどの炭素数１以上４以下のモノ、ジ又はトリアルカノールアミン類などの有機アンモニウムを挙げることができる。なお、一般式（Ｉ）で表される化合物が、１価の基や置換基としてイオン性基を有する場合にも、Ｒ5と同様に塩型であってもよい。
【００６６】
一般式（Ｉ）中のＲ6は、アリーレン基又は２価のヘテロ環基を表す。Ｒ6で表されるアリーレン基には、置換又は無置換のアリーレン基が含まれる。置換若しくは無置換のアリーレン基としては、炭素数６乃至３０のアリーレン基が好ましい。置換基の例としては、前述のＲ1で表される１価の基について例示したものと同様のものを挙げることができる。前記アリーレン基としては、フェニレン、ナフチレンなどを挙げることができる。
【００６７】
Ｒ6で表される２価のヘテロ環基は５員環又は６員環であることが好ましい。これらの２価のヘテロ環はさらに縮環していてもよく、芳香族ヘテロ環であっても、非芳香族ヘテロ環であってもよい。一般的に、ヘテロ環基はＩ型とII型に分類することができる。Ｉ型のヘテロ環基は、酸性核として知られている。Ｉ型のヘテロ環基としては、５−ピラゾロン環、５−アミノピラゾール環、オキサゾロン環、バルビツール酸環、ピリドン環、ローダニン環、ピラゾリジンジオン環、ピラゾロピリドン環、メルドラム酸環などを挙げることができる。なかでも、５−ピラゾロン環、及び５−アミノピラゾール環が好ましい。II型のヘテロ環基は、塩基性核として知られている。II型のヘテロ環基としては、ピリジン、ピラジン、ピリミジン、ピリダジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリンなどを挙げることができる。なかでも、芳香族ヘテロ環基が好ましく、ピリジン、ピラジン、ピリミジン、ピリダジン、トリアジン、ピラゾール、イミダゾール、ベンズイミダゾール、トリアゾール、チアゾール、ベンゾチアゾール、イソチアゾール、ベンズイソチアゾール、チアジアゾールがさらに好ましく、耐光性の観点からチアジアゾールが特に好ましい。２価のヘテロ環基は置換基を有していてもよい。置換基の例としては、前述のＲ1で表される１価の基について例示したものと同様のものを挙げることができる。
【００６８】
一般式（Ｉ）中のＲ7は、２価の連結基を表し、ｍは０又は１を表す。ｍが０である場合、２つのＲ6が互いに結合した構造であることを意味する。
【００６９】
Ｒ7で表される２価の連結基としては、メチレン、エチレン、プロピレン、ブチレン、ペンチレンなどのアルキレン基；エテニレン、プロぺニレンなどのアルケニレン基；エチニレン、プロピニレンなどのアルキニレン基；フェニレン、ナフチレンなどのアリーレン基；６−クロロ−１，３，５−トリアジン−２，４−ジイル基、ピリミジン−２，４−ジイル基、キノキサリン−２，３−ジイル基などの２価のヘテロ環基；−Ｏ−；−ＣＯ−；−ＮＲ9−（Ｒ9は水素原子、アルキル基又はアリール基）；−Ｓ−；−ＳＯ2−；−ＳＯ−；及びこれらの組み合わせなどを挙げることができる。
【００７０】
アルキレン基、アルケニレン基、アルキニレン基、アリーレン基、２価のヘテロ環基、Ｒ9で表されるアルキル基及びアリール基は、いずれも置換基を有していてもよい。置換基としては、前述のＲ1で表される１価の基について例示したものと同様のものを挙げることができる。Ｒ9で表されるアルキル基及びアリール基としては、前述のＲ1で表される１価の基のうちのアルキル基及びアリール基について例示したものと、好ましいものを含めて同様のものを挙げることができる。
【００７１】
一般式（Ｉ）中のＲ7は、炭素数１０以下のアルキレン基、炭素数１０以下のアルケニレン基、炭素数１０以下のアルキニレン基、炭素数６以上１０以下のアリーレン基、２価のヘテロ環基、−Ｏ−、−Ｓ−、又はこれらの組み合わせであることがさらに好ましい。これらのなかでも、−Ｓ−とアルキレン基との組み合わせであることが、一般式（Ｉ）で表される化合物の安定性の観点から特に好ましい。
【００７２】
Ｒ7で表される２価の連結基の総炭素数は、０乃至５０であることが好ましく、０乃至３０であることがさらに好ましく、０乃至１０であることが特に好ましい。
【００７３】
本発明においては、一般式（Ｉ）で表される化合物が、以下の構造を有するものであることが特に好ましい。Ｒ2はアミノ基であることが好ましい。Ｒ6はヘテロ環基であることが好ましく、チアジアゾールであることがさらに好ましい。また、Ｒ7はアルキレン基又はヘテロ原子を含むアルキレン基であることが好ましく、ヘテロ原子を含むアルキレン基であることがさらに好ましい。
【００７４】
一般式（Ｉ）で表される化合物の好適例を遊離酸型で表すと、以下に示す例示化合物１乃至２９を挙げることができる。勿論、本発明においては、一般式（Ｉ）の構造及びその定義に包含されるものであれば、以下に示す例示化合物に限定されない。本発明においては、以下に示す例示化合物のなかでも、例示化合物１〜１３、１８〜２２、２９が好ましく、例示化合物２がさらに好ましい。
【００７５】
2014034645.tif 000004
【００７６】
2014034645.tif 000005
【００７７】
2014034645.tif 000006
【００７８】
2014034645.tif 000007
【００７９】
2014034645.tif 000008
【００８０】
2014034645.tif 000009
【００８１】
2014034645.tif 000010
【００８２】
2014034645.tif 000011
【００８３】
2014034645.tif 000012
【００８４】
2014034645.tif 000013
【００８５】
2014034645.tif 000014
【００８６】
2014034645.tif 000015
【００８７】
2014034645.tif 000016
【００８８】
2014034645.tif 000017
【００８９】
2014034645.tif 000018
【００９０】
2014034645.tif 000019
【００９１】
2014034645.tif 000020
【００９２】
2014034645.tif 000021
【００９３】
2014034645.tif 000022
【００９４】
2014034645.tif 000023
【００９５】
2014034645.tif 000024
【００９６】
2014034645.tif 000025
【００９７】
2014034645.tif 000026
【００９８】
2014034645.tif 000027
【００９９】
2014034645.tif 000028
【０１００】
2014034645.tif 000029
【０１０１】
2014034645.tif 000030
【０１０２】
2014034645.tif 000031
【０１０３】
2014034645.tif 000032
【０１０４】
（第１の色材の検証方法）
本発明で用いる第１の色材が各インク中に含まれているか否かを検証するには、高速液体クロマトグラフィー（ＨＰＬＣ）を用いた下記（１）〜（３）の検証方法を適用することができる。
（１）ピークの保持時間
（２）（１）のピークについての極大吸収波長
（３）（１）のピークについてのマススペクトルのＭ／Ｚ（ｐｏｓｉ）、Ｍ／Ｚ（ｎｅｇａ）
【０１０５】
高速液体クロマトグラフィーの分析条件は、以下に示す通りである。純水で約１，０００倍に希釈した液体（インク）を測定用サンプルとする。そして、下記の条件で高速液体クロマトグラフィーでの分析を行い、ピークの保持時間（ｒｅｔｅｎｔｉｏｎ  ｔｉｍｅ）、及びピークの極大吸収波長を測定する。
・カラム：ＳｕｎＦｉｒｅ  Ｃ１８（日本ウォーターズ製）２．１ｍｍ×１５０ｍｍ
・カラム温度：４０℃
・流速：０．２ｍＬ／ｍｉｎ
・ＰＤＡ：２００ｎｍ〜７００ｎｍ
・移動相及びグラジエント条件：表１
【０１０６】
2014034645.tif 000033
【０１０７】
また、マススペクトルの分析条件は以下に示す通りである。得られたピークについて、下記の条件でマススペクトルを測定し、最も強く検出されたＭＺをｐｏｓｉ及びｎｅｇａのそれぞれに対して測定する。
・イオン化法：ＥＳＩ
・キャピラリ電圧：３．５ｋＶ
・脱溶媒ガス：３００℃
・イオン源温度：１２０℃
・検出器：
ｐｏｓｉ；４０Ｖ  ２００〜１５００ａｍｕ／０．９ｓｅｃ
ｎｅｇａ；４０Ｖ  ２００〜１５００ａｍｕ／０．９ｓｅｃ
【０１０８】
上記した方法及び条件下で、一般式（Ｉ）で表される化合物の具体例である例示化合物２について測定を行った。その結果、得られた保持時間、極大吸収波長、Ｍ／Ｚ（ｐｏｓｉ）、及びＭ／Ｚ（ｎｅｇａ）の値を表２に示す。未知のインクについて、上記と同様の方法及び条件下で測定を行って、得られた測定値が表２に示す値に該当する場合、本発明のインクに用いる化合物を含有すると判断することができる。
【０１０９】
2014034645.tif 000034
【０１１０】
（第２の色材：Ｃ．Ｉ．ダイレクトイエロー１３２）
第１の色材とともに用いられる第２の色材は、Ｃ．Ｉ．ダイレクトイエロー１３２である。Ｃ．Ｉ．ダイレクトイエロー１３２は、市販のものを用いることもできる。
【０１１１】
（色材の含有量）
本発明のインクは、第１の色材と第２の色材が特定の質量比率で含有されていることにより、耐光性及び発色性が高いレベルで両立された画像を記録することができる。本発明のインクは、インク全質量を基準とした、第１の色材の含有量（質量％）が、第２の色材の含有量（質量％）に対する質量比率で０．７倍以上３．０倍以下であり、好ましくは１．０倍以上２．０倍以下である。すなわち、「第１の色材の含有量（質量％）」／「第２の色材の含有量（質量％）」＝０．７倍以上３．０倍以下であり、好ましくは１．０倍以上２．０倍以下である。上記の質量比率が０．７倍未満であると、普通紙における発色性が得られない。一方、上記の質量比率が３．０倍超であると、光沢紙における発色性及び耐光性が得られない。また、上記の質量比率が１．０倍以上２．０倍以下であると、普通紙及び光沢紙における発色性と、耐光性とをバランス良く向上させることができる。
【０１１２】
インク中の第１の色材の含有量（質量％）は、インク全質量を基準として、０．１質量％以上１０．０質量％以下であることが好ましく、１．０質量％以上５．０質量％以下であることがさらに好ましい。また、インク中の第２の色材の含有量（質量％）は、インク全質量を基準として、０．１質量％以上１０．０質量％以下であることが好ましく、１．０質量％以上５．０質量％以下であることがさらに好ましい。また、本発明のインクには、第１の色材及び第２の色材以外の色材が含有されていてもよい。インク中の色材の合計の含有量（質量％）は、吐出特性などのインクジェット用のインクとして信頼性を満たす範囲であれば特に限定されないが、０．１質量％以上１０．０質量％以下であることが好ましい。
【０１１３】
（アルカリ金属イオン）
Ｃ．Ｉ．ダイレクトイエロー１３２の水性媒体への溶解性は、共存するアルカリ金属の種類や濃度に依存する傾向にある。例えば、共存するアルカリ金属の種類がリチウム、ナトリウム、カリウムの順にＣ．Ｉ．ダイレクトイエロー１３２の溶解性が低下する。本発明者らは、インク中の各種のアルカリ金属イオンの濃度を以下のように調整することで、第２の色材（Ｃ．Ｉ．ダイレクトイエロー１３２）の凝集性が的確にコントロールされ、画像の耐光性をさらに向上させることが可能であることを見出した。
【０１１４】
本発明においては、インク中の、カリウムイオン濃度ＣK（μｍｏｌ／ｇ）、ナトリウムイオン濃度ＣNa（μｍｏｌ／ｇ）、及びアルカリ金属イオン濃度ＣT（μｍｏｌ／ｇ）が、０．７≦（ＣK＋ＣNa）／ＣTの関係を満たすことが好ましい。（ＣK＋ＣNa）／ＣTの値が０．７未満であると、第２の色材の溶解性を高めるリチウムイオンなどの濃度が高くなり、第２の色材の凝集性が下がりやすくなる。このため、画像の耐光性がやや低下する場合がある。なお、（ＣK＋ＣNa）／ＣTの値は５．０以下であることが好ましく、２．０以下であることがさらに好ましい。
【０１１５】
また、本発明においては、インク中の、カリウムイオン濃度ＣK（μｍｏｌ／ｇ）、及びナトリウムイオン濃度ＣNa（μｍｏｌ／ｇ）が、０．７≦ＣK／ＣNa≦２．０の関係を満たすことが好ましい。この関係を満たすと、第２の色材の凝集性が高まるとともに、光沢紙に定着する第２の色材の位置（深さ）が、第１の色材よりも下層となる。このため、第１の色材による遮光効果を得ることができ、より高い耐光性を有する画像を記録することができる。ＣK／ＣNaの値が０．７未満であると、第２の色材の凝集性が低下しやすくなるため、画像の耐光性がやや低下する場合がある。一方、ＣK／ＣNaの値が２．０超であると、第２の色材の凝集性がやや上昇してしまい、光沢紙の表面近傍で第２の色材が定着しやすくなる。このため、第１の色材による遮光効果が得られにくくなり、画像の耐光性がやや低下する場合がある。
【０１１６】
さらに、インク中のカリウムイオン濃度ＣK（μｍｏｌ／ｇ）は、９０μｍｏｌ／ｇ以下であることが好ましい。カリウムイオン濃度ＣKが９０μｍｏｌ／ｇ超であると、第２の色材の溶解性を低下させる傾向にあるカリウムイオン濃度が高いことになる。このため、第２の色材の凝集性がやや上昇してしまい、光沢紙の表面近傍で第２の色材が定着しやすくなる。このため、第１の色材による遮光効果が得られにくくなり、画像の耐光性がやや低下する場合がある。なお、インク中にはカリウムイオンが含まれていなくてもよい。すなわち、インク中のカリウムイオン濃度の下限値は０μｍｏｌ／ｇであってもよい。
【０１１７】
インク中の各種のアルカリ金属イオンの濃度は、色材のイオン性基のカウンターイオンの種類や色材の含有量で調節してもよく、電解質などの色材とは別の成分によって調節してもよい。なお、インク中のアルカリ金属イオンの濃度（含有量）は、イオンクロマトグラフィーなどの常法により測定することができる。
【０１１８】
（水性媒体）
本発明のインクには、水、又は水及び水溶性有機溶剤の混合溶媒である水性媒体を用いることができる。水は、脱イオン水（イオン交換水）を用いることが好ましい。インク中の水の含有量（質量％）は、インク全質量を基準として、１０．０質量％以上９０．０質量％以下であることが好ましい。
【０１１９】
水溶性有機溶剤は、水溶性であれば特に制限はなく、アルコール、多価アルコール、ポリグリコール、グリコールエーテル、含窒素極性溶媒、含硫黄極性溶媒などを用いることができる。インク中の水溶性有機溶剤の含有量（質量％）は、インク全質量を基準として、５．０質量％以上９０．０質量％以下、さらには１０．０質量％以上５０．０質量％以下であることが好ましい。水溶性有機溶剤の含有量が上記した範囲より少ないと、インクをインクジェット記録装置に用いる場合に吐出安定性などの信頼性が得られない場合がある。また、水溶性有機溶剤の含有量が上記した範囲より多いと、インクの粘度が上昇して、インクの供給不良が起きる場合がある。
【０１２０】
（その他の添加剤）
本発明のインクは、上記した成分以外にも必要に応じて、トリメチロールプロパン、トリメチロールエタンなどの多価アルコール類や、尿素、エチレン尿素などの尿素誘導体などの、常温で固体の水溶性有機化合物を含有してもよい。さらに、本発明のインクは、必要に応じて、界面活性剤、ｐＨ調整剤、防錆剤、防腐剤、防黴剤、酸化防止剤、還元防止剤、蒸発促進剤、キレート化剤、及び水溶性樹脂など、種々の添加剤を含有してもよい。
【０１２１】
（その他のインク）
また、フルカラーの画像などを形成するために、本発明のインクと、本発明のインクとは別の色相を有するその他のインクとを組み合わせて用いることができる。その他のインクとしては、例えば、ブラックインク、シアンインク、マゼンタインク、イエローインク、レッドインク、グリーンインク、及びブルーインクからなる群より選択される少なくとも一種のインクを挙げることができる。また、これらのインクと実質的に同一の色相を有する、いわゆる淡インクをさらに組み合わせて用いることもできる。その他のインクや淡インクに用いられる色材は、公知の染料であっても、新規に合成された染料であってもよい。
【０１２２】
＜インクカートリッジ＞
本発明のインクカートリッジは、インクと、このインクを収容するインク収容部とを備える。そして、このインク収容部に収容されているインクが、上記で説明した本発明のインクである。図１は、本発明のインクカートリッジの一実施形態を模式的に示す断面図である。図１に示すように、インクカートリッジの底面には、記録ヘッドにインクを供給するためのインク供給口１２が設けられている。インクカートリッジの内部はインクを収容するためのインク収容部となっている。インク収容部は、インク収容室１４と、吸収体収容室１６とで構成されており、これらは連通口１８を介して連通している。また、吸収体収容室１６はインク供給口１２に連通している。インク収容室１４には液体のインク２０が収容されており、吸収体収容室１６には、インクを含浸状態で保持する吸収体２２，２４が収容されている。インク収容部は、液体のインクを収容するインク収容室を持たず、収容されるインク全量を吸収体により保持する形態であってもよい。また、インク収容部は、吸収体を持たず、インクの全量を液体の状態で収容する形態であってもよい。さらには、インク収容部と記録ヘッドとを有するように構成された形態のインクカートリッジとしてもよい。
【０１２３】
＜インクジェット記録方法＞
本発明のインクジェット記録方法は、上記で説明した本発明のインクをインクジェット方式の記録ヘッドから吐出して記録媒体に画像を記録する方法である。インクを吐出する方式としては、インクに力学的エネルギーを付与する方式や、インクに熱エネルギーを付与する方式が挙げられる。本発明においては、インクに熱エネルギーを付与してインクを吐出する方式を採用することが特に好ましい。本発明のインクを用いること以外、インクジェット記録方法の工程は公知のものとすればよい。
【０１２４】
図２は、本発明のインクジェット記録方法に用いられるインクジェット記録装置の一例を模式的に示す図であり、（ａ）はインクジェット記録装置の主要部の斜視図、（ｂ）はヘッドカートリッジの斜視図である。インクジェット記録装置には、記録媒体３２を搬送する搬送手段（不図示）、及びキャリッジシャフト３４が設けられている。キャリッジシャフト３４にはヘッドカートリッジ３６が搭載可能となっている。ヘッドカートリッジ３６は記録ヘッド３８及び４０を具備しており、インクカートリッジ４２がセットされるように構成されている。ヘッドカートリッジ３６がキャリッジシャフト３４に沿って主走査方向に搬送される間に、記録ヘッド３８及び４０から記録媒体３２に向かってインク（不図示）が吐出される。そして、記録媒体３２が搬送手段（不図示）により副走査方向に搬送されることによって、記録媒体３２に画像が記録される。
【実施例】
【０１２５】
以下、実施例及び比較例を挙げて本発明をさらに詳細に説明するが、本発明は、その要旨を超えない限り、下記の実施例によって何ら限定されるものではない。なお、成分量に関して「部」及び「％」と記載しているものは特に断らない限り質量基準である。
【０１２６】
＜色材の合成＞
（化合物Ａ）
（ａ）
下記式（１）で表される化合物１３．３ｇをメタノール１００ｍＬに溶解させて得た溶液に、水酸化カリウム４．５ｇを水に溶解させて得た水溶液２０ｍＬと、１，２−ジブロムエタン１０．０ｇとを加えた。２時間還流した後、析出した結晶をろ過して下記式（２）で表される化合物１３．０ｇを得た。
【０１２７】
2014034645.tif 000035
【０１２８】
2014034645.tif 000036
【０１２９】
（ｂ）
下記式（３）で表される化合物５９．８ｇ、ピバロイルアセトニトリル３２．０ｇ、炭酸水素ナトリウム６５．０ｇ、水３４０ｍＬ、及びエタノール３４０ｍＬの混合液を２時間加熱した後、塩酸６０ｍＬを加えた。さらに２時間加温した後、析出した結晶をろ過して下記式（４）で表される化合物６１．０ｇを得た。
【０１３０】
2014034645.tif 000037
【０１３１】
2014034645.tif 000038
【０１３２】
（ｃ）
前記手順（ｂ）で得た式（４）で表される化合物６．０ｇ、メタノール８０ｍＬ、及び酢酸ソーダ３０ｇの混合液を１０℃以下に冷却した。また、前記手順（ａ）で得た式（２）で表される化合物３．０ｇ及び亜硝酸ナトリウムを混合してジアゾ液を得た。このジアゾ液を１０℃以下で混合液に加え、室温で２時間撹拌した。析出した結晶をろ過した後、セファデックス（商品名）を用いたカラムクロマトグラフィーにより精製し、さらに塩酸を添加してｐＨを１．０以下に調整して、遊離酸型として下記式（５）で表される化合物Ａ  ４．３ｇを得た。
【０１３３】
2014034645.tif 000039
【０１３４】
（ｄ）
前記手順（ｃ）で得た遊離酸型の化合物Ａに水酸化カリウム水溶液を添加してｐＨを８．０に調整し、カリウム塩型の化合物Ａを得た。
【０１３５】
（化合物Ｂ及び化合物Ｃ）
前記手順（ｄ）で用いた水酸化カリウム水溶液を、水酸化ナトリウム水溶液又は水酸化リチウム水溶液に変更したこと以外は、前述の化合物Ａの合成と同様にして、ナトリウム塩型の化合物Ｂ、及びリチウム塩型の化合物Ｃを得た。
【０１３６】
（比較化合物Ａ）
特許文献２に記載された例示化合物５の合成方法に準じて、下記式で表される比較化合物Ａを合成した。
【０１３７】
2014034645.tif 000040
【０１３８】
（比較化合物Ｂ）
特許文献２に記載された例示化合物１６の合成方法に準じて合成を行った後、水酸化ナトリウム水溶液を使用してｐＨを７．５に調整し、下記式で表される比較化合物Ｂを得た。
【０１３９】
2014034645.tif 000041
【０１４０】
＜インクの調製＞
表３−１〜３−３の上段に示す各成分（単位：％）を混合し、十分に撹拌した後、ポアサイズ０．２０μｍのフィルターで加圧ろ過して各インクを調製した。また、インク中のカリウムイオン濃度とナトリウムイオン濃度を表３−１〜３−３の下段に示す値に調整するために、酢酸カリウム又は酢酸ナトリウムを使用して調製したインクのイオン交換水の量は、酢酸カリウムや酢酸ナトリウムを含む値として表記した。表３−１〜３−３中の「アセチレノールＥ１００」は、ノニオン性界面活性剤（川研ファインケミカル製）の商品名である。また、表３−１〜３−３の下段には、インク中の、第１の色材の含有量（％）及び第２の色材の含有量（％）を示し、それ以外の表３−１〜３−３の下段に記載された各項目の意味は以下に示す通りである。
・「第１／第２の質量比率（倍）」：インク中の、第１の色材の含有量／第２の色材の含有量、の質量比率
・「カリウム濃度Ｃk（μｍｏｌ／ｇ）」：インク中のカリウムイオン濃度
・「ナトリウム濃度ＣNa（μｍｏｌ／ｇ）」：インク中のナトリウムイオン濃度
・「リチウム濃度ＣLi（μｍｏｌ／ｇ）」：インク中のリチウムイオン濃度
・「アルカリ金属のイオン濃度ＣT（μｍｏｌ／ｇ）」：インク中のアルカリ金属イオン濃度（合計）
・「（ＣK＋ＣNa）／ＣT」：インク中の、カリウムイオン濃度ＣK（μｍｏｌ／ｇ）とナトリウムイオン濃度ＣNa（μｍｏｌ／ｇ）の合計／アルカリ金属イオン濃度ＣT（μｍｏｌ／ｇ）、の比率
・「ＣK＋ＣNa」：インク中の、カリウムイオン濃度ＣK（μｍｏｌ／ｇ）／ナトリウムイオン濃度ＣNa（μｍｏｌ／ｇ）、の比率
【０１４１】
2014034645.tif 000042
【０１４２】
2014034645.tif 000043
【０１４３】
2014034645.tif 000044
【０１４４】
＜評価＞
上記で得られた各インクをそれぞれインクカートリッジに充填し、熱エネルギーの作用により記録ヘッドからインクを吐出するインクジェット記録装置（商品名「ＰＩＸＵＳ  ｉＰ８６００」、キヤノン製）に搭載した。本実施例においては、１／６００インチ×１／６００インチの単位領域に２２ｎｇのインクを付与して記録したベタ画像を「記録デューティが１００％である」と定義する。このインクジェット記録装置を用いて、温度２３℃、相対湿度５５％の環境で、光沢紙及び普通紙に、記録デューティを０％から１５０％まで５％刻みで変化させたベタ画像を記録した記録物を作製した。なお、光沢紙としては、商品名「キヤノン写真用紙・光沢プロ［プラチナグレード］ＰＴ１０１」（キヤノン製）を使用した。また、普通紙としては、商品名「ＰＢ  ＰＡＰＥＲ」（キヤノンマーケティングジャパン製）を使用した。得られた記録物を、温度２３℃、相対湿度５５％の環境で２４時間乾燥させた。光学濃度は、分光光度計（商品名「Ｓｐｅｃｔｒｏｌｉｎｏ」、Ｇｒｅｔａｇ  Ｍａｃｂｅｔｈ製）を用いて、光源：Ｄ５０、視野：２°の条件で測定した。本発明においては、下記の各項目の評価基準で、Ｃを許容できないレベル、（ＡＡ、）Ａ、及びＢを許容できるレベルとした。評価結果を表４に示す。
【０１４５】
（発色性）
光沢紙及び普通紙を用いた記録物における各記録デューティのベタ画像の光学濃度を測定し、光学濃度の最高値から、以下に示す評価基準にしたがって発色性を評価した。
〔光沢紙における評価基準〕
ＡＡ：光学濃度が２．３０以上であった。
Ａ：光学濃度が２．２５以上２．３０未満であった。
Ｂ：光学濃度が２．２０以上２．２５未満であった。
Ｃ：光学濃度が２．２０未満であった。
〔普通紙における評価基準〕
ＡＡ：光学濃度が１．２５以上であった。
Ａ：光学濃度が１．２０以上１．２５未満であった。
Ｂ：光学濃度が１．１５以上１．２０未満であった。
Ｃ：光学濃度が１．１５未満であった。
【０１４６】
（耐光性）
光沢紙を用いた記録物における各記録デューティのベタ画像の光学濃度を測定し、その値が０．５０に最も近いベタ画像を特定した（耐光性試験前の光学濃度）。この記録物をスーパーキセノン試験機（商品名「ＳＸ−７５」、スガ試験機製）中に載置し、槽内温度２４℃、相対湿度６０％、照射強度１００キロルクスで１００時間、キセノン光の照射を行った。その後、先と同じベタ画像の光学濃度を測定した（耐光性試験後の光学濃度）。得られた耐光性試験前の光学濃度及び耐光性試験後の光学濃度の値から、光学濃度の残存率＝耐光性試験後の光学濃度／耐光性試験前の光学濃度×１００％を算出し、以下に示す評価基準にしたがって耐光性を評価した。
Ａ：光学濃度の残存率が６０％以上であった。
Ｂ：光学濃度の残存率が５０％以上６０％未満であった。
Ｃ：光学濃度の残存率が５０％未満であった。
【０１４７】
2014034645.tif 000045
【図１】
2014034645.tif 000048
【図２】
2014034645.tif 000049